(57)【要約】【課題】印刷設定画面の開き忘れを防止した情報処理装置、プログラム、及び記憶媒体を提供する。【解決手段】ＯＳが印刷処理直前にプリンタドライバを呼び出す関数にて印刷設定画面を開き、設定内容を外部記憶(ファイル、レジストリなど)に保存し、別途ＯＳから呼び出される印刷開始時に保存した設定内容を読み込み、機器に送信するプリンタ記述言語の内容に反映するので、印刷設定画面の開き忘れを防止することができる。【選択図】図１
2012137927.tif 000002
【特許請求の範囲】
【請求項１】
ＯＳからの印刷に関する要求を受け取り、振り分けを実施するＯＳイベント処理部と、
印刷設定画面を画面に表示し、ユーザーからの設定を受け付ける印刷設定画面表示部と、
前記印刷設定画面で設定された内容を外部記憶部に書き出す印刷設定書き出し部と、
前記外部記憶部に保存されている印刷設定を読み出す印刷設定読み込み部と、
前記ＯＳからの描画データをプリンタが解釈可能な言語に変換する印刷データ生成部と、を備え、
印刷処理の直前に印刷設定画面を表示するようにしたことを特徴とする情報処理装置。
【請求項２】
請求項１記載の情報処理装置において、印刷設定画面を表示するか否かを条件に応じて判定する印刷設定表示判断部を備えたことを特徴とする情報処理装置。
【請求項３】
請求項１記載の情報処理装置において、前記印刷設定書き出し部は、書き出す外部記憶装置が前記ＯＳで規定されるレジストリであることを特徴とする情報処理装置。
【請求項４】
請求項２記載の情報処理装置において、前記印刷設定表示判断部は、判断の条件を利用者が事前に前記印刷設定画面を開いたか否かとし、一度開いた利用者に対して不必要に印刷設定画面を開かないようにしたことを特徴とする請求項２記載の情報処理装置。
【請求項５】
請求項２記載の情報処理装置において、前記印刷設定表示判断部は、判断の条件を利用者が事前に印刷設定をプリンタドライバ標準の設定から変更したか否かとし、設定を変更した利用者に対して不必要に印刷設定画面を開かないようにしたことを特徴とする請求項２記載の情報処理装置。
【請求項６】
情報処理装置のコンピュータに、
ＯＳイベント処理部が、ＯＳからの印刷に関する要求を受け取り、振り分けを実施する手順、
印刷設定画面表示部が、印刷設定画面を画面に表示し、ユーザーからの設定を受け付ける手順、
印刷設定書き出し部が、前記印刷設定画面で設定された内容を外部記憶装置に書き出す手順、
印刷設定読み込み部が、前記外部記憶装置に保存されている印刷設定を読み出す手順、
印刷データ生成部が、前記ＯＳからの描画データをプリンタが解釈可能な言語に変換する手順、
印刷設定画面表示部が、印刷処理の直前に印刷設定画面を表示する手順、
を実行させることを特徴とするプログラム。
【請求項７】
請求項１１記載のプログラムにおいて、
前記情報処理装置のコンピュータに、
印刷設定表示判断部が、印刷設定画面を表示するか否かを条件に応じて判定する手順を実行させることを特徴とするプログラム。
【請求項８】
請求項１１記載のプログラムにおいて、
前記情報処理装置のコンピュータに、
前記印刷設定書き出し部は、書き出す外部記憶装置が前記ＯＳで規定されるレジストリであることを特徴とするプログラム。
【請求項９】
請求項７記載のプログラムにおいて、
前記情報処理装置のコンピュータに、
前記印刷設定表示判断部は、判断の条件を利用者が事前に前記印刷設定画面を開いたか否かとし、一度開いた利用者に対して不必要に印刷設定画面を開かない手順、
を実行させることを特徴とするプログラム。
【請求項１０】
請求項１２記載の情報処理装置において、
前記情報処理装置のコンピュータに、
前記印刷設定表示判断部は、判断の条件を利用者が事前に印刷設定をプリンタドライバ標準の設定から変更したか否かとし、設定を変更した利用者に対して不必要に印刷設定画面を開かない手順、
を実行させることを特徴とするプログラム。
【請求項１１】
請求項６から１０の何れか一項記載のプログラムを記憶したことを特徴とする記憶媒体。
【発明の詳細な説明】
【技術分野】
【０００１】
本発明は、情報処理装置、プログラム、及び記憶媒体に関する。
【背景技術】
【０００２】
ＰＣ（Ｐｅｒｓｏｎａｌ  Ｃｏｍｐｕｔｏｒ）から印刷を行う場合、アプリケーションの印刷画面からプリンタドライバの印刷画面を呼び出し、各種印刷設定(両面印刷や集約、ステープルなど)を行うことが既に知られている。
【０００３】
しかし、通常のプリンタドライバでは、上述の通りユーザーが明示的に印刷設定画面を開かなくてはならないため、印刷設定を開き忘れて不十分な設定のまま印刷を実行してしまったり、アプリケーションによって印刷設定画面を開くためのボタンの位置が異なっていたりしているため、利用者が印刷設定画面を開けないなどの問題があった。
【０００４】
このような問題を解決するため、特許文献１のような提案がなされている。
特許文献１には、利用者の印刷設定を制限する目的で、利用者が設定した内容が予め定義された印刷設定の制限ファイルと比較し、異なっている場合はその旨を表示する画面を表示して利用者に印刷設定の変更を求める構成が開示されている。
【発明の概要】
【発明が解決しようとする課題】
【０００５】
しかしながら、特許文献１に記載の技術では、印刷設定画面の開き忘れを防止するという問題は解消できていない。
【０００６】
そこで、本発明の目的は、印刷設定画面の開き忘れを防止した情報処理装置、プログラム、及び記憶媒体を提供することにある。
【課題を解決するための手段】
【０００７】
上記課題を解決するため、請求項１記載の発明は、ＯＳからの印刷に関する要求を受け取り、振り分けを実施するＯＳイベント処理部と、印刷設定画面を画面に表示し、ユーザーからの設定を受け付ける印刷設定画面表示部と、前記印刷設定画面で設定された内容を外部記憶部に書き出す印刷設定書き出し部と、前記外部記憶部に保存されている印刷設定を読み出す印刷設定読み込み部と、前記ＯＳからの描画データをプリンタが解釈可能な言語に変換する印刷データ生成部と、を備え、印刷処理の直前に印刷設定画面を表示するようにしたことを特徴とする。
【０００８】
請求項２記載の発明は、請求項１記載の発明において、印刷設定画面を表示するか否かを条件に応じて判定する印刷設定表示判断部を備えたことを特徴とする。
【０００９】
請求項３記載の発明は、請求項１記載の発明において、前記印刷設定書き出し部は、書き出す外部記憶装置が前記ＯＳで規定されるレジストリであることを特徴とする。
【００１０】
請求項４記載の発明は、請求項２記載の発明において、前記印刷設定表示判断部は、判断の条件を利用者が事前に前記印刷設定画面を開いたか否かとし、一度開いた利用者に対して不必要に印刷設定画面を開かないようにしたことを特徴とする。
【００１１】
請求項５記載の発明は、請求項２記載の発明において、前記印刷設定表示判断部は、判断の条件を利用者が事前に印刷設定をプリンタドライバ標準の設定から変更したか否かとし、設定を変更した利用者に対して不必要に印刷設定画面を開かないようにしたことを特徴とする。
【００１２】
請求項６記載の発明は、情報処理装置のコンピュータに、ＯＳイベント処理部が、ＯＳからの印刷に関する要求を受け取り、振り分けを実施する手順、印刷設定画面表示部が、印刷設定画面を画面に表示し、ユーザーからの設定を受け付ける手順、印刷設定書き出し部が、前記印刷設定画面で設定された内容を外部記憶装置に書き出す手順、印刷設定読み込み部が、前記外部記憶装置に保存されている印刷設定を読み出す手順、印刷データ生成部が、前記ＯＳからの描画データをプリンタが解釈可能な言語に変換する手順、印刷設定画面表示部が、印刷処理の直前に印刷設定画面を表示する手順、を実行させるプログラムであることを特徴とする。
【００１３】
請求項７記載の発明は、請求項１１記載の発明において、前記情報処理装置のコンピュータに、印刷設定表示判断部が、印刷設定画面を表示するか否かを条件に応じて判定する手順を実行させることを特徴とする。
【００１４】
請求項８記載の発明は、請求項１１記載の発明において、前記情報処理装置のコンピュータに、前記印刷設定書き出し部は、書き出す外部記憶装置が前記ＯＳで規定されるレジストリであることを特徴とする。
【００１５】
請求項９記載の発明は、請求項７記載の発明において、前記情報処理装置のコンピュータに、前記印刷設定表示判断部は、判断の条件を利用者が事前に前記印刷設定画面を開いたか否かとし、一度開いた利用者に対して不必要に印刷設定画面を開かない手順、を実行させることを特徴とする。
【００１６】
請求項１０記載の発明は、請求項１２記載の発明において、前記情報処理装置のコンピュータに、前記印刷設定表示判断部は、判断の条件を利用者が事前に印刷設定をプリンタドライバ標準の設定から変更したか否かとし、設定を変更した利用者に対して不必要に印刷設定画面を開かない手順、を実行させることを特徴とする。
【００１７】
請求項１１記載の発明は、請求項６から１０の何れか一項記載のプログラムを記憶した記憶媒体であることを特徴とする。
【発明の効果】
【００１８】
本発明によれば、印刷設定画面の開き忘れを防止した情報処理装置、プログラム、及び記憶媒体の提供を実現することができる。
【図面の簡単な説明】
【００１９】
【図１】本発明に係る情報処理装置に用いられるプリンタドライバの内部構成の一例について説明するための説明図である。
【図２】図１に示したプリンタドライバを用いた情報処理装置のシーケンスの一例について説明するための説明図である。
【図３】図１に示したプリンタドライバを用いた情報処理装置において、条件によって印刷設定画面の表示非表示を判断するシーケンスの一例について説明するための説明図である。
【図４】図１に示したプリンタドライバを用いた情報処理装置の印刷設定画面の一例について説明する説明図である。
【図５】図１に示したプリンタドライバを用いた情報処理装置としての複写機の概念図の一例である。
【発明を実施するための形態】
【００２０】
＜実施形態１＞
本発明の実施の形態を説明する。
本発明は、プリンタドライバを用いた文書の印刷処理に際して、以下の特徴を有する。
要するに、ＯＳが印刷処理直前にプリンタドライバを呼び出す関数にて印刷設定画面を開き、設定内容を外部記憶(ファイル、レジストリなど)に保存し、別途ＯＳから呼び出される印刷開始時に保存した設定内容を読み込み、機器に送信するプリンタ記述言語の内容に反映することを特徴とする。
【００２１】
図１は、本発明に係る情報処理装置に用いられるプリンタドライバの内部構成の一例について説明するための説明図である。
プリンタドライバの構成要素として、ＯＳからの印刷に関する様々な要求を受け取り、振り分けを実施する「ＯＳイベント処理部」１１、印刷設定画面を画面に表示し、ユーザーからの設定を受け付ける「印刷設定画面表示部」１２、ＯＳからの描画データをプリンタが解釈可能な言語(ＰＤＬ)に変換する「印刷データ生成部」１３、印刷設定画面で設定された内容をファイルなどの外部記憶装置に書き出す「印刷設定書き出し部」１４、印刷設定画面を表示するか否かを条件に応じて判定する「印刷設定表示判断部」１５、及び外部記憶装置に保存されている印刷設定を読み出す「印刷設定読み込み部」１６を備えている。
【００２２】
図２は、図１に示したプリンタドライバを用いた情報処理装置のシーケンスの一例について説明するための説明図である。
利用者が各種のアプリケーション上から印刷ボタンを押下し、ＯＳは印刷処理を開始する（ステップＳ１）。
ＯＳはプリンタドライバに対し各種の呼び出しを行う、そのうちの一つに印刷処理を開始する直前のタイミングでドライバを呼び出す（ステップＳ２）。
ＯＳイベント処理部１１では、ＯＳからの呼び出しに応じ印刷設定画面表示部１２を表示する（ステップＳ３）。
印刷設定画面表示部１２では印刷設定画面を表示し、ユーザーに印刷設定を促す（ステップＳ４）。
利用者は表示された印刷設定画面上で必要に応じて印刷設定を行い、最後に印刷設定画面上の「ＯＫ」ボタンを押下する（ステップＳ５、６）。
印刷設定画面表示部１２は利用者が設定した内容を保存するために印刷設定書き出し部を呼び出す（ステップＳ７）。
印刷設定書き出し部１４は外部ファイルなど外部記憶装置に対し、利用者がＳ５で設定した内容を保存する（ステップＳ８）。
ＯＳは印刷処理を開始するためにプリンタドライバの印刷データ生成部１３を呼び出す（ステップＳ９）。
印刷データ生成部１３は、印刷設定を取得するために印刷設定読み込み部１６を呼び出す（ステップＳ１０）。
印刷設定読み込み部１６はＳ８で保存した内容を読み出し、印刷データ生成部１３に通知する（ステップＳ１１）。
印刷データ生成部１３は、取得した印刷設定をプリンタに送信する印刷データ(ＰＤＬ)に反映する（ステップＳ１２）。
【００２３】
図３は、図１に示したプリンタドライバを用いた情報処理装置において、条件によって印刷設定画面の表示非表示を判断するシーケンスの一例について説明するための説明図である。
ステップＳ１１、Ｓ１２は図２と同様である。
ＯＳイベント処理部１１では、ＯＳからの呼び出しに応じ印刷設定表示判断部１５を表示する（ステップＳ１３）。
印刷設定表示判断部１５は条件に応じ(図では利用者が事前に印刷設定画面を開いているか否か)、印刷設定表示部を呼ぶか呼ばないかを判断する。図３の場合、利用者がアプリケーションから印刷をする場合に、一度も印刷設定画面を開いてない場合は、図１と同様のシーケンスで印刷設定画面を自動的に表示し、一度でも開いた場合は、すでに印刷設定画面にて設定済みと考え、印刷設定画面を表示せずに印刷を開始する。これにより利用者に対し、不必要に印刷設定画面を表示することがなくなる（ステップＳ１４）。
【００２４】
ステップＳ１４で利用者が直前に印刷設定を画面表示していない場合、印刷設定画面表示部１２は印刷設定画面を表示し、ユーザーに印刷設定を促す（ステップＳ１５）。
利用者は表示された印刷設定画面上で必要に応じて印刷設定を行い、最後に印刷設定画面上の「ＯＫ」ボタンを押下する（ステップＳ１６、Ｓ１７）。
印刷設定画面表示部１２は利用者が設定した内容を保存するために印刷設定書き出し部を呼び出す（ステップＳ１８）。
印刷設定書き出し部１４は外部ファイルなど外部記憶装置に対し、利用者がＳ１６で設定した内容を保存する（ステップＳ１９）。
ＯＳは印刷処理を開始するためにプリンタドライバの印刷データ生成部１３を呼び出す（ステップＳ２０）。
印刷データ生成部１３は、印刷設定を取得するために印刷設定読み込み部１６を呼び出す（ステップＳ２１）。
印刷設定読み込み部１６はＳ１９で保存した内容を読み出し、印刷データ生成部１３に通知する（ステップＳ２２）。
印刷データ生成部１３は、取得した印刷設定をプリンタに送信する印刷データ(ＰＤＬ)に反映する（ステップＳ２３）。
【００２５】
ステップＳ１４で利用者が直前に印刷設定を画面表示している場合、ステップＳ２０に進み、以下同様にステップＳ２１〜Ｓ２３に進む。
【００２６】
図４は、図１に示したプリンタドライバを用いた情報処理装置の印刷設定画面の一例について説明する説明図である。
プリンタドライバで表示される印刷設定画面である。一般的な表示であり、本発明に関して特別に解説するような特徴はない。
【００２７】
＜実施形態２＞
次に実施形態２について説明する。
図５は、図１に示したプリンタドライバを用いた情報処理装置としての複写機の概念図の一例である。
同図に示す複写機１００は、画像読取装置１００ａと、装置本体１００ｂとを有する。複写機１００は図示しない制御回路有し、複写機１００を統括制御する。この制御回路に図１に示したプリンタドライバが設けられている。
【００２８】
画像読取装置１００ａは、原稿１０５を搭載するコンタクトガラス１０１、シートスルー用読み取り窓１０２、白レベル調整やシェーディング補正データ生成用の基準白板１０３、原稿１０５を照射する光源１０７及び第１ミラー１０８が搭載される第１キャリッジ１０９、第２ミラー１１０、第３ミラー１１１が搭載される第２キャリッジ１１２、キャリッジ位置を検出するために備えられたホームポジションセンサ（以下、ＨＰＳと記す）１１７、ＣＣＤイメージセンサ（以下、ＣＣＤと記す）１１４上に縮小結像させるレンズユニット１１３、光電変換素子であるＣＣＤ１１４を搭載した画像読取回路１１５、画像処理回路１１６、第１キャリッジ１０９、第２キャリッジ１１２を駆動するスキャナ駆動モータ、及び原稿センサ等から構成される（例えば、特開２００５−７７５２０号公報参照。）。
【００２９】
上記構成において、コンタクトガラス１０１上に原稿１０５が搭載された場合に、光源１０７を点灯し、第１キャリッジ１０９および第２キャリッジ１１２を、図示しない制御部からの制御信号によってスキャナ駆動モータを回転動作させることにより図の右方向に移動走査して原稿１０５の画像情報を読み取る方式と、第１キャリッジ１０９および第２キャリッジ１１２は停止した状態のまま、光源１０７を点灯し、シートスルー読み取り用コンタクトガラス１０２を介して原稿搬送装置１０４によって搬送される他の原稿１０６を照射して原稿画像情報を読み取る方式とが選択可能である。
【００３０】
第１キャリッジ１０９を走査して原稿１０５を読み取る場合には、原稿１０５の読み取りに先立って基準白板１０３のデータを取得しシェーディング補正データを生成した後メモリに記憶しておき、そのシェーディング補正用データで原稿１０５の画像データ正規化することによって、画像読取装置における光量分布ムラやＣＣＤの感度ムラを補正し、原稿１０５の画像情報を高品質に読み取っている。
【００３１】
シェーディング補正処理が行われた画像データは、図示しない画像処理部に出力される。
第１キャリッジ１０９は停止した状態のまま、原稿１０５を搬送して原稿画像データを読み取るシートスルー読み取りの場合には、原稿１０５の読み取りに先立ってまず、第１キャリッジ１０９を基準白板１０３の下に移動させてシェーディング補正データを生成しシートスルー読み取り位置に復帰してから原稿の搬送を開始して原稿読み取り動作を開始する。
【００３２】
同図に示す複写機１００の装置本体１００ｂにおいて、回転可能に支持されて矢印方向に回転する感光体２０１の外周部には、除電装置Ｌと、クリーニング装置２０２と、帯電装置２０３と、現像装置２０５とが配設されている。
【００３３】
感光体２０１の外周部における帯電装置２０３と現像装置２０５との間には、露光装置２０４から発せられる光情報を入射させるスペースが確保されている。
図５に示す構成では感光体２０１が４個（２０１ａ、２０１ｂ、２０１ｃ、２０１ｄ）あるが、現像装置２０５が扱う色材（トナー）の色が異なるのみであり、それぞれの外周部に設けられる画像形成用の上述した部品構成は同じである。
【００３４】
感光体２０１は、直径が３０ｍｍから１００ｍｍ程度のアルミニウム円筒表面に、光導電性物質である有機半導体の層を設けて構成され、その一部が中間転写ベルト（第１の顕像担持手段）２１０に接している。
【００３５】
中間転写ベルト２１０は、回転するローラ２１１、２１２、２１３、２１４により支持され、図５の矢印方向に移動可能に張架されている。この中間転写ベルト２１０の裏側（ループの内側）には、第１の転写手段としてのローラ２１２が感光体２０１の近傍に配備され、感光体２０１上の顕像を中間転写ベルト２１０に転写させる。
【００３６】
中間転写ベルト２１０のベルトループの外側における、中間転写ベルト２１０から顕像を記録媒体または裏面用中間転写ベルト（第２の顕像担持手段）２００に転写する位置の下流に、中間転写ベルト用クリーニング装置２５０が配設されている。このクリーニング装置２５０のブラシは、中間転写ベルト２１０から顕像が他に転写された後でベルト表面に残留する不要なトナーを拭い去る。
【００３７】
図５はブラシローラが裏面用中間転写ベルト２００の表面から離れた状態にある。このブラシローラは支点２５０Ａを中心として揺動可能に設けられ、裏面用中間転写ベルト２００表面に接離可能な構造になっている。
中間転写ベルト２１０から転写されたトナー像を記録媒体Ｐに転写する以前、すなわち裏面用中間転写ベルト２００がトナー像を担持しているときは離れた状態とし、記録媒体Ｐへの転写が行われてクリーニングが必要となったとき、ブラシローラは図１２での反時計方向に揺動し接触される。
除去された不要トナーはトナー収納部２５０Ｂに集められる。
【００３８】
露光装置２０４は公知のレーザ方式によるもので、フルカラー画像形成に対応した光情報を、一様に帯電された感光体２０１表面に潜像として照射する。この露光装置２０４としては、ＬＥＤアレイと結像手段とから成る露光装置を用いてもよい。
【００３９】
このように、上述した感光体２０１と、クリーニング装置２０２と、帯電装置２０３と、露光装置２０４と、現像装置２０５と、除電装置Ｌと、第１の転写手段２１２とが、中間転写ベルト２１０に転写する顕像（トナーによる像）を生成する作像手段として機能する。
【００４０】
中間転写ベルト２１０は、基体の厚みが５０μｍ〜６００μｍの樹脂フィルムあるいはゴムを基体にしたベルトであり、感光体２１１からトナーを転写可能とする抵抗値を備える。
この中間転写ベルト２１０に対して図１２の右方には、ベルト状の裏面用中間転写ベルト（第２の顕像担持手段）２００が配設されている。この裏面用中間転写ベルト２００は、回転ローラ２１６、２１７、２１８、２１９により支持され、図５の矢印方向に移動可能に張架されており、裏側（ループの内側）には、第２の転写手段２２０が配設されている。裏面用中間転写ベルト２００によるベルトループの外側に、この裏面用中間転写ベルト用クリーニング装置２５０、チャージャＣＨ、などが配設されている。
【００４１】
上述した第２の転写手段２１９と、ローラ２１８、２１９と、中間転写ベルト２１０を支持するローラ２１４とにより、中間転写ベルト２１０と裏面用中間転写ベルト２００とが接触し、あらかじめ定められた転写ニップを形成する。
【００４２】
裏面用中間転写ベルト２００は、基体の厚みが５０μｍ〜６００μｍの樹脂フィルムあるいはゴムを基体にしたベルトで、中間転写ベルト２１０からトナーを転写可能とする抵抗値を備えるベルトである。
【００４３】
記録媒体（用紙）Ｐは図の下方の給紙装置（給紙カセット）２２６−１、２２６−２に収納されており、最上にある用紙が給紙ローラ２２７で１枚ずつ、複数のガイド２２９を経てレジストローラ対２２８に搬送される。
記録媒体Ｐが搬送されるさらに下流には、定着用加熱手段２３０、排紙ガイド対２３１、排紙ローラ対２３２、排紙スタック部２４０が配設されている。
【００４４】
図５における中間転写ベルト２１０の上方で排紙スタック部２４０の下方には、補給用のトナーが収納できる収納部ＴＳが設けてある。トナーの色はマゼンタ、シアン、イエロー、ブラックの四色があり、カートリッジＴＣの形態にされている。このカートリッジＴＣからは、粉体ポンプ等により対応する色の現像装置に適宜補給される。
【００４５】
こうした装置本体の一部であるフレーム２５１は、開閉支軸２５１Ａを中心として、回動・開放が可能な構造にされている。このため、ユーザーはこのフレーム２５１を開いた状態とすることにより記録媒体の搬送路を大きく開くことができ、ジャムが発生した場合の記録媒体（用紙）の処理を容易にしている。
【００４６】
また、上述した記録媒体Ｐへの画像形成を行う装置本体の上部に画像読み取り装置１００ａが支持部２６６を介して連設され、この画像読み取り装置により読み取られた画像データを上述した装置本体が記録媒体Ｐに印刷することで、コピー動作を可能にするよう構成されている。
【００４７】
画像読み取り装置の外周部には、操作・表示部（表示手段、かつ入力手段）が設けられている。この操作・表示部は、ユーザーに各種の操作情報を表示により通知すると共に操作入力を受けるタッチパネルや、テンキーなど各種のボタンを備える。
ユーザーは、この操作・入力部により、コピーの片面／両面切り替え、コピー動作の開始、コピー枚数の設定、コピー機能とプリンタ機能との切り替えなどの各種操作を行う。
【００４８】
＜プログラム＞
以上で説明した本発明にかかる情報処理装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００４９】
例えば、
情報処理装置のコンピュータに、
ＯＳイベント処理部が、ＯＳからの印刷に関する要求を受け取り、振り分けを実施する手順、
印刷設定画面表示部が、印刷設定画面を画面に表示し、ユーザーからの設定を受け付ける手順、
印刷設定書き出し部が、印刷設定画面で設定された内容を外部記憶装置に書き出す手順、
印刷設定読み込み部が、外部記憶装置に保存されている印刷設定を読み出す手順、
印刷データ生成部が、ＯＳからの描画データをプリンタが解釈可能な言語に変換する手順、
印刷設定画面表示部が、印刷処理の直前に印刷設定画面を表示する手順、
を実行させるプログラムが挙げられる。
【００５０】
これにより、プログラムが実行可能なコンピュータ環境さえあれば、どこにおいても本発明にかかる情報処理装置を実現することができる。
このようなプログラムは、コンピュータに読み取り可能な記憶媒体に記憶されていてもよい。
【００５１】
＜記憶媒体＞
ここで、記憶媒体としては、例えば、ＣＤ−ＲＯＭ（Compact Disc Read Only Memory）、フレキシブルディスク（ＦＤ）、ＣＤ−Ｒ（CD Recordable）などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【００５２】
＜作用効果＞
以上において、本実施形態によれば、ＯＳが印刷処理直前にプリンタドライバを呼び出す関数にて印刷設定画面を開き、設定内容を外部記憶(ファイル、レジストリなど)に保存し、別途ＯＳから呼び出される印刷開始時に保存した設定内容を読み込み、機器に送信するプリンタ記述言語の内容に反映するので、印刷設定画面の開き忘れを防止することができる。
【００５３】
すなわち、本実施形態によれば、利用者が印刷を実行する際に自動的に印刷設定画面を開くことにより、印刷設定を開き忘れて不十分な設定のまま印刷を実行してしまったり、アプリケーションによって印刷設定画面を開くためのボタンの位置が異なるため、利用者が印刷設定画面を開けなかったりするという問題を解消することができる。
【００５４】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００５５】
１１    ＯＳイベント処理部
１２    印刷設定画面表示部
１３    印刷データ生成部
１４    印刷設定書き出し部
１５    印刷設定表示判断部
１６    印刷設定読み込み部
１００    複写機（画像処理装置）
１００ａ    画像読取装置
１００ｂ    装置本体
【先行技術文献】
【特許文献】
【００５６】
【特許文献１】特開２００９−２１１３８２号公報
【図１】
2012137927.tif 000003
【図２】
2012137927.tif 000004
【図３】
2012137927.tif 000005
【図４】
2012137927.tif 000006
【図５】
2012137927.tif 000007